(57)【要約】【課題】簡素な構造により、且つ柔軟な流動体収容容器の折り畳み性を損なうことなく、ウォーターハンマー現象を防止する。【解決手段】本願発明に係る流動体収容容器（流動体パック１）は、流動体が収容される収容室５を有する容器本体４と、前記流動体を注出するために容器本体４の一端に設けられた注出口６と、収容室５の内部に設けられ、収容室５の内部を注出口６側に向かって流動する前記流動体の流動を減衰するバッフル部材11とを備えてなる。バッフル部材11は、容器本体４と同質の可撓性材料により形成され、その対向する二辺14，15が収容室５の対向する内面21，22にそれぞれ固着されることにより、バッフル部材11が収容室５を横切る帯状に架設される。【選択図】  図２
2010120686.tif 000002
【特許請求の範囲】
【請求項１】
流動体が収容される収容室を有する容器本体と、
前記流動体を注出するために前記容器本体の一端に設けられた注出口と、
前記収容室の内部に設けられ、前記収容室の内部を前記注出口側に向かって流動する前記流動体の流動を減衰するバッフル部材と、
を備えてなることを特徴とする流動体収容容器。
【請求項２】
前記容器本体及び前記バッフル部材は同質の可撓性材料により形成され、前記バッフル部材の対向する二辺が前記収容室の対向する内面にそれぞれ固着されることにより、前記バッフル部材が前記収容室を横切る帯状に架設されたことを特徴とする請求項１に記載の流動体収容容器。
【請求項３】
前記バッフル部材は、前記注出口に向かって凸となる略Ｕ字状断面になるように前記収容室の対向する内面に固着されたことを特徴とする請求項２に記載の流動体収容容器。
【請求項４】
前記バッフル部材は、少なくとも１つの孔部が穿設された穿孔シート状であることを特徴とする請求項２又は３に記載の流動体収容容器。
【発明の詳細な説明】
【技術分野】
【０００１】
本発明は、液状医薬品類及び流動性食品ならびに飲料等の流動体を収容し、可撓性がある流動体収容容器に関する。
【背景技術】
【０００２】
従来、流動体を包装するための、注出口を備えた柔軟な流動体収容容器としては、特許文献１又は２に示されるように、軟質な樹脂シート片を熱溶着して袋状の収容室を形成し、この収容室の縁部に、樹脂シート片の内面と熱溶着性を有する樹脂材料から形成された注出口（スパウト）が熱溶着されて取り付けられたものが知られている。
【０００３】
このような従来の流動体収容容器では、その収容室が単一の容積室として形成されていた。
【特許文献１】特開2008-081143号公報
【特許文献２】特開2008-037471号公報
【発明の開示】
【発明が解決しようとする課題】
【０００４】
しかしながら、上述のように、収容室が単一の容積室として形成されていたため、流動体が充填された流動体収容容器を車両等で搬送する際において、収容室の容積によっては、搬送時の加減速に起因して流動体が激しく流動し、多量の流動体が一度に注出口付近にぶつかることにより、ウォーターハンマー現象が発生して注出口の溶着部付近が破損したり、液漏れ等が発生する懸念があった。
【０００５】
本発明は、上記問題点を解消すべくなされたもので、簡素な構造により、且つ柔軟な流動体収容容器の折り畳み性を損なうことなく、ウォーターハンマー現象を防止することのできる流動体収容容器を提供することを目的とする。
【課題を解決するための手段】
【０００６】
上記課題を解決するため、請求項１に係る流動体収容容器は、流動体が収容される収容室を有する容器本体と、前記流動体を注出するために前記容器本体の一端に設けられた注出口と、前記収容室の内部に設けられ、前記収容室の内部を前記注出口側に向かって流動する前記流動体の流動を減衰するバッフル部材とを備えてなる流動体収容容器としたことを特徴とする。
【０００７】
請求項２に係る流動体収容容器は、請求項１に記載の構成に加え、前記容器本体及び前記バッフル部材を同質の可撓性材料により形成し、前記バッフル部材の対向する二辺を前記収容室の対向する内面にそれぞれ固着することにより、前記バッフル部材を前記収容室を横切る帯状に架設した流動体収容容器としたことを特徴とする。
【０００８】
請求項３に係る流動体収容容器は、請求項２に記載の構成に加え、前記バッフル部材を前記注出口に向かって凸となる略Ｕ字状断面になるように前記収容室の対向する内面に固着した流動体収容容器としたことを特徴とする。
【０００９】
請求項４に係る流動体収容容器は、請求項２又は３に記載の構成に加え、前記バッフル部材が少なくとも１つの孔部が穿設された穿孔シート状である流動体収容容器としたことを特徴とする。
【発明の効果】
【００１０】
請求項１に記載の流動体収容容器によれば、収容室の内部を注出口側に向かって流動する流動体の流動がバッフル部材によって減衰されるため、簡素な構造により、ウォーターハンマー現象を防止することができる。
【００１１】
請求項２に記載の流動体収容容器によれば、帯状に形成されたバッフル部材が折り畳み可能になるため、簡素な構成により、柔軟な流動体収容容器の折り畳み性を損なうことなくウォーターハンマー現象を防止することができる。
【００１２】
請求項３に記載の流動体収容容器によれば、バッフル部材にクッション性が付与されるため、収容室の内部を注出口側に向かって流動する流動体の動きがバッフル部材によって効果的に減衰され、より効果的にウォーターハンマー現象を防止することができる。
【００１３】
請求項４に記載の流動体収容容器によれば、複数の孔部によりオリフィス作用が得られるため、さらに効果的にウォーターハンマー現象を防止することができる。
【発明を実施するための最良の形態】
【００１４】
以下、この発明の実施の形態を、図１〜図５を参照しながら詳細に説明する。
【００１５】
図１は、本発明の実施の形態に係る流動体収容容器の一例を示す流動体パックの正面図であり、図２は図１のII-II線に沿う流動体パックの縦断面図である。
【００１６】
この流動体パック１は、軟質樹脂等の可撓性材料により形成される。その構造例としては、例えば二枚の透明な樹脂シート状素材を重ね合わせ、その周囲縁部を接合代３として熱溶着等により剥離不能に接合することにより容器本体４を形成し、接合代３の内周側の範囲を袋状の収容室５としている。収容室５には、液状医薬品類や流動性食品等の流動体が収容される。
【００１７】
また、容器本体４の一端には、収容室５に連通するノズル状の注出口６が熱溶着や圧入等により固定され、その開口部がキャップ７により密閉される。キャップ７を取り外すことにより、収容室５に充填された流動体を注出することができる。
【００１８】
容器本体４の底部は、図１、図２に示すように底面８を有する形状（自立形状）であっても、図３(a),(b)に示すように接合代３により連続的にシールされて底面を有さない形状であってもよい。また、その他の形状でも構わない。
【００１９】
そして、収容室５の内部にバッフル部材11が設けられる。このバッフル部材11は、容器本体４と同質の可撓性材料（軟質樹脂等）からなるシート状素材により形成され、図４にも展開図で示すように、収容室５の幅Ｗ１よりもやや狭い幅Ｗ２を有する四角い帯状に形成されている。また、バッフル部材11を形成するシート状素材は複数の孔部12が穿設された穿孔シート状である。
【００２０】
バッフル部材11の対向する二辺14，15には、それぞれ接合代17，18が設けられ、この部分がそれぞれ収容室５の対向する内面21，22に熱溶着等により接合、固着される。バッフル部材11は、その中心線24を境に二つに湾曲（屈曲）された状態で収容室５内に設置されるが、側面視（図２参照）で注出口６に向かって凸となる略Ｕ字（又は略Ｖ字）状断面となる向きで収容室５の内面21，22に固着される。
【００２１】
これにより、バッフル部材11は収容室５を横切る帯状に架設され、バッフル部材11の両側と収容室５との間には流動通路26，27が形成される。バッフル部材11の幅は、容器本体４の底部側から注出口６を見た場合に、少なくとも注出口６がバッフル部材11の背後に隠れる幅が必要である。
【００２２】
以上のように構成された流動体パック１において、その収容室５に流動体が充填されて注出口６がキャップ７により密閉された状態で、例えば車両等により流動体パック１を搬送する場合には、収容室５の内部に設けられたバッフル部材11により、収容室５の内部を注出口６側に向かって流動しようとする流動体の流動速度が大幅に減衰される。
【００２３】
即ち、図２中に矢印で示すように、注出口６側に流れようとする流動体は、バッフル部材11にぶつかって押し返され、流動体の一部のみが、孔部12及びバッフル部材11の両側に形成された流動通路26，27を通って注出口６側に流れることができる。このため、従来の問題点であった、多量の流動体が一度に注出口６付近にぶつかることによるウォーターハンマー現象を回避でき、これによって注出口６の溶着部付近が破損する等といった事態を防止することができる。
【００２４】
バッフル部材11は、容器本体４と同質の可撓性材料により単純な帯状に形成され、その対向する二辺14，15が収容室５の対向する内面21，22にそれぞれ固着されて収容室５を横切るように架設されているため、非常に簡素な構成によってバッフル部材11を設けることができ、しかも、図５に示すようにバッフル部材11は容器本体４と共に折り畳むことができるため、柔軟な流動体パック１の折り畳み性が損なわれることがない。
【００２５】
また、バッフル部材11が、注出口６に向かって凸となる略Ｕ字状断面になるように収容室５の対向する内面21，22に固着されているため、収容室５の底部側から注出口６に向かう力に対して良好なクッション性を持っている。このため、収容室５の内部において注出口６に向かって流れようとする流動体の動きを柔軟に受け止めて、ウォーターハンマー現象を確実に防止することができる。
【００２６】
また、バッフル部材11を形成するシート状素材が、複数の孔部12が穿設された穿孔シート状であるため、複数の孔部12によりオリフィス作用が得られる。即ち、流動体が孔部12を通過しようとする際に流動抵抗が発生するため、これによりさらに効果的にウォーターハンマー現象を防止することができる。
【００２７】
なお、バッフル部材11の形状、材質、取り付け形態等は、本実施形態のもののみに限定されることはない。要するに、収容室５の内部を注出口６側に向かって流動しようとする流動体の流動速度を減衰することができれば他の形態であっても構わない。
【図面の簡単な説明】
【００２８】
【図１】本発明の実施の形態に係る流動体収容容器の一例を示す流動体パックの正面図である。
【図２】同実施の形態に係る図１のII-II線に沿う流動体パックの縦断面図である。
【図３】(a)は容器本体の底部構造の別な実施例を示す図であり、(b)は(a)のIIIb-IIIb線に沿う縦断面図である。
【図４】バッフル部材の展開図である。
【図５】容器本体が折り畳まれた状態を示す流動体パックの縦断面図である。
【符号の説明】
【００２９】
１  流動体収容容器の一例である流動体パック
３  接合代
４  容器本体
５  収容室
６  注出口
７  キャップ
８  底面
11  バッフル部材
12  孔部
14，15  バッフル部材の対向する二辺
17，18  接合代
21，22  収容室の対向する内面
24  中心線
26，27  流動通路
Ｗ１  収容室の幅
Ｗ２  バッフル部材の幅
【図１】
2010120686.tif 000003
【図２】
2010120686.tif 000004
【図３】
2010120686.tif 000005
【図４】
2010120686.tif 000006
【図５】
2010120686.tif 000007